(57)【特許請求の範囲】
【請求項１】
導光板と、該導光板に入射された光を一面側に反射するために該導光板の他面側に設けられた反射シートと、該導光板及び反射シートが積層収容される収容部とを備える光源装置において、
前記収容部に設けられ、前記導光板及び反射シートの該収容部内位置を決める位置決め部と、
該位置決め部に対応して前記導光板及び反射シートに夫々形成された切り欠き部とを備えており、
前記導光板の切り欠き部は、前記積層方向にて、前記反射シートの切り欠き部内に含まれ、
前記収容部の底は前記反射シートより低い反射率を有するように構成してあることを特徴とする光源装置。
【請求項２】
前記積層方向にて、前記反射シートの切り欠き部による凹所の面積は、前記光の入射方向に基づいて部分的に拡大されてあることを特徴とする請求項１に記載の光源装置。
【請求項３】
前記反射シートの切り欠き部は、前記積層方向にて、前記導光板の切り欠き部の相似形であることを特徴とする請求項１に記載の光源装置。
【請求項４】
前記導光板の切り欠き部は、前記積層方向にて、前記位置決め部の相似形であることを特徴とする請求項１又は２に記載の光源装置。
【請求項５】
前記収容部の底には、前記反射シートより低い反射率を有する膜が形成されてあることを特徴とする請求項１に記載の光源装置。
【請求項６】
前記導光板は前記切り欠き部に係る側面に鏡面処理がなされていることを特徴とする請求項１から５の何れかに記載の光源装置。
【請求項７】
前記収容部の底は、一定な反射分光分布特性を有していることを特徴とする請求項１又は５に記載の光源装置。
【請求項８】
前記収容部の底が、前記積層方向にて、前記反射シートから離れて配置されてあることを特徴とする請求項１、５、７の何れかに記載の光源装置。
【請求項９】
前記導光板は前記一面がレンズ形状を有することを特徴とする請求項１から８の何れかに記載の光源装置。
【請求項１０】
前記導光板は前記他面がレンズ形状を有することを特徴とする請求項１から９の何れかに記載の光源装置。
【請求項１１】
前記導光板は矩形であり、
前記導光板の切り欠き部は該導光板の一側面の縁部に設けられており、
該一側面に隣り合う側面側に設けられ、該一側面と、該一側面の反対側の他側面との対向方向において、前記切り欠き部より前記導光板の中央側に位置する光源を備えることを特徴とする請求項１から１０の何れかに記載の光源装置。
【請求項１２】
前記反射シートは矩形であり、
前記反射シートの切り欠き部は該反射シートの一縁の部分に設けられており、
該一縁に隣り合う縁側に設けられ、該一縁と、該一縁の反対側の他縁との対向方向において、前記切り欠き部より前記反射シートの中央側に位置する光源を備えることを特徴とする請求項１から１０の何れかに記載の光源装置。
【請求項１３】
請求項１から１２の何れかに記載の光源装置と、
前記導光板の一面側に設けられており、該導光板を介して入射される光を用いて画像を表示する表示パネルと
を備えることを特徴とする表示装置。
【発明の詳細な説明】
【技術分野】
【０００１】
本発明は、導光板と、該導光板に入射された光を一面側に反射するために該導光板の他面側に設けられた反射シートと、該導光板及び反射シートが積層収容される収容部とを備える光源装置と、該光源装置を備える表示装置に関する。
【背景技術】
【０００２】
近年、液晶テレビジョンなどの表示装置が広く普及されている。このような表示装置は導光板を備えており、該導光板は光源からの光を内部で平面的に伝播させながら画像を表示する表示パネルに向けて照射する。一方、表示パネルへの光の照射を適切に行なうためには導光板の位置ズレを防ぐ必要があり、一般には、位置決め部を用いて導光板の位置を固定しており、導光板には、該位置決め部に対応する位置に、切り欠き部が形成されている。【０００３】
しかし、このように位置決め部を用いて導光板の位置を固定する場合、導光板内部を伝播する光が、例えば、前記位置決め部によって反射され、該切り欠き部の周辺で意図しない反射光が導光板を介して表示パネルに出射されることがあり、表示パネルに輝度のムラが生じるという問題が発生していた。【０００４】
ひいては、かかる輝度のムラがユーザによって視認されないようにするため、表示パネルの周縁部を覆う額縁部に所定の幅を持たせる必要があり、その結果、実質上、ユーザによって見られる表示画面の面積が狭くなるという問題があった。【０００５】
これに対して、特許文献１においては、光源からの光に対する反射率が、位置決め部自体より小さい被覆膜にて、該位置決め部を覆うことにより、導光板の切り欠き部周辺での反射による輝度のムラの発生を防止する光源モジュールについて開示されている。
【先行技術文献】
【特許文献】
【０００６】
【特許文献１】特開２０１２−８４３０３号公報
【発明の概要】
【発明が解決しようとする課題】
【０００７】
しかしながら、特許文献１の光源モジュールにおいては、かかる効果のために、位置決め部をより反射率の低い被覆膜にて覆う別途の工程が必要であり、製造コストが高くなるという問題がある。【０００８】
また、一般に、導光板の側面は鏡面処理されているが、導光板に形成された切り欠き部に係る側面は鏡面処理がされていないので、当該導光板に光源から光が入射された場合、鏡面処理されていない切り欠き部に係る側面では乱反射が起き、他の部分との間で輝度のムラが生じる。しかし、このような問題は、特許文献１の光源モジュールでは対応することができない。【０００９】
本発明は、斯かる事情に鑑みてなされたものであり、その目的とするところは、導光板と、該導光板に入射された光を一面側に反射するために該導光板の他面側に設けられた反射シートとを積層した状態にて収容する収容部に設けられ、前記導光板及び反射シートの前記収容部内位置を決める位置決め部に対応して、前記導光板及び反射シートに夫々形成された切り欠き部において、前記導光板の切り欠き部は、前記積層方向にて、前記反射シートの切り欠き部内に含まれ、前記収容部の底は前記反射シートより低い反射率を有するように構成することにより、上述したような原因により前記導光板の切り欠き部で生じる輝度のムラが該導光板の一面側に反射されることを防ぎ、このような輝度のムラがユーザによって認識されることを防止できる光源装置及び表示装置を提供することにある。
【課題を解決するための手段】
【００１０】
本発明に係る光源装置は、導光板と、該導光板に入射された光を一面側に反射するために該導光板の他面側に設けられた反射シートと、該導光板及び反射シートが積層収容される収容部とを備える光源装置において、前記収容部に設けられ、前記導光板及び反射シートの該収容部内位置を決める位置決め部と、該位置決め部に対応して前記導光板及び反射シートに夫々形成された切り欠き部とを備えており、前記導光板の切り欠き部は、前記積層方向にて、前記反射シートの切り欠き部内に含まれ、前記収容部の底は前記反射シートより低い反射率を有するように構成してあることを特徴とする。
【００１１】
本発明にあっては、位置決め部に対応して前記導光板に形成された切り欠き部は、前記積層方向にて、前記反射シートに形成された切り欠き部の内に含まれるように構成することにより、前記導光板の切り欠き部に輝度のムラが生じた場合であっても、斯かる輝度のムラが前記導光板の一面側に反射されることを防ぎ、該導光板の一面からの光を用いて画像表示を行なう場合、このような輝度のムラがユーザによって認識されることを防止する。また、前記収容部の底は前記反射シートより低い反射率を有するように構成するので、前記導光板の切り欠き部で発生する輝度のムラに係る光が、前記導光板の切り欠き部による凹所及び前記反射シートの切り欠き部による凹所を介して前記収容部の底に入射されて吸収される。
【００１２】
本発明に係る光源装置は、前記積層方向にて、前記反射シートの切り欠き部による凹所の面積は、前記光の入射方向に基づいて部分的に拡大されてあることを特徴とする。【００１３】
本発明にあっては、前記導光板の切り欠き部のうち、光の入射方向に近い部分では輝度のムラがより多く発生するおそれがあるので、前記積層方向にて、前記反射シートの切り欠き部による凹所の面積は、光の入射方向に近い部分が、光の入射方向から遠い部分より広くなるように前記反射シートの切り欠き部を形成する。【００１４】
本発明に係る光源装置は、前記積層方向にて、前記反射シートの切リ欠き部は、前記導光板の切り欠き部の相似形であることを特徴とする。【００１５】
本発明にあっては、前記積層方向にて、前記反射シートの切り欠き部を前記導光板の切り欠き部と相似形にすることにより、前記導光板の切り欠き部で発生した輝度のムラの前記一面側への反射をより均一に抑制する。【００１６】
本発明に係る光源装置は、前記積層方向にて、前記導光板の切り欠き部は、前記位置決め部の相似形であることを特徴とする。【００１７】
本発明にあっては、前記積層方向にて、前記導光板の切り欠き部を前記位置決め部と相似形にすることにより、該位置決め部によって反射され、前記導光板に再入射する光量を、該導光板の切り欠き部の全体において均一にする。【００２０】
本発明に係る光源装置は、前記収容部の底には、前記反射シートより低い反射率を有する膜が形成されてあることを特徴とする。【００２１】
本発明にあっては、前記収容部の底に前記反射シートより低い反射率を有する膜が形成されてあるので、前記導光板の切り欠き部で発生する輝度のムラに係る光が、前記導光板の切り欠き部による凹所及び前記反射シートの切り欠き部による凹所を介して前記収容部の底に入射された場合、前記膜によって吸収される。【００２２】
本発明に係る表示装置は、前述の発明の何れか一つに記載の光源装置と、前記導光板の一面側に設けられており、該導光板を介して入射される光を用いて画像を表示する表示パネルとを備えることを特徴とする。【００２３】
本発明にあっては、前記光源装置の導光板の一面から出射され、前記表示パネルに入射される光を用いて、該表示パネルは所定の画像を表示する。【００２４】
本発明に係る光源装置は、前記導光板は前記切り欠き部に係る側面に鏡面処理がなされていることを特徴とする。【００２５】
本発明にあっては、前記切り欠き部に係る前記導光板の側面に鏡面処理がなされており、該切り欠き部での乱反射を防ぎ、該切り欠き部周辺での輝度のムラの発生を抑える。【００２６】
本発明に係る光源装置は、前記収容部の底は、一定な反射分光分布特性を有していることを特徴とする。【００２７】
本発明にあっては、前記収容部の底が一定な反射分光分布特性を有するので、表示上で不要な色ムラの発生を抑える。【００２８】
本発明に係る光源装置は、前記収容部の底が、前記積層方向にて、前記反射シートから離れて配置されてあることを特徴とする。【００２９】
本発明にあっては、前記収容部の底が、前記反射シートから前記積層方向に離れて配置されている。従って、前記導光板の切り欠き部で発生する輝度のムラに係る光が、前記導光板の切り欠き部による凹所及び前記反射シートの切り欠き部による凹所を介して前記収容部の底に入射された場合、該光を吸収し得る底の面積を増やすことができる。【００３０】
本発明に係る光源装置は、前記導光板は前記一面がレンズ形状を有することを特徴とする。【００３１】
本発明にあっては、前記導光板の一面にレンズ形状が形成されているので、前記光源から該導光板に入射される光の直進性が高まり、前記一面を介して出射される光の光量が増え、該導光板の切り欠き部側へ向かう光の量が減少する。【００３２】
本発明に係る光源装置は、前記導光板は前記他面がレンズ形状を有することを特徴とする。【００３３】
本発明にあっては、前記導光板の他面にレンズ形状が形成されているので、前記光源から該導光板に入射される光の直進性が高まり、前記一面を介して出射される光の光量が増え、該導光板の切り欠き部側へ向かう光の量が減少する。【００３４】
本発明に係る光源装置は、前記導光板は矩形であり、前記導光板の切り欠き部は該導光板の一側面の縁部に設けられており、該一側面に隣り合う側面側に設けられ、該一側面と、該一側面の反対側の他側面との対向方向において、前記切り欠き部より前記導光板の中央側に位置する光源を備えることを特徴とする。【００３５】
本発明にあっては、前記光源を、前記一側面と前記他側面との対向方向において、前記切り欠き部より前記導光板の中央側に位置させることにより、該光源から前記導光板に入射される光のうち、前記切り欠き部に向かう光の割合を減らす。【００３６】
本発明に係る光源装置は、前記反射シートは矩形であり、前記反射シートの切り欠き部は該反射シートの一縁の部分に設けられており、該一縁に隣り合う縁側に設けられ、該一縁と、該一縁の反対側の他縁との対向方向において、前記切り欠き部より前記反射シートの中央側に位置する光源を備えることを特徴とする。【００３７】
本発明にあっては、前記導光板の切り欠き部が、前記積層方向にて、前記反射シートの切り欠き部の内側に含まれており、前記光源を、前記一縁と前記他縁との対向方向において、前記切り欠き部より前記反射シートの中央側に位置させる。これにより、該光源から前記導光板に入射される光のうち、前記導光板の切り欠き部に向かう光の割合を一層減らし、該切り欠き部周辺での輝度のムラが前記反射シートによって前記導光板の一面側に反射されることを抑える。
【発明の効果】
【００３８】
本発明によれば、上述したような原因によって前記導光板の切り欠き部で生じる輝度のムラが該導光板の一面側に反射されることを防ぎ、このような輝度のムラがユーザによって認識され、ユーザに違和感を与えることを防止できる。
また、表示パネルの周縁部を覆う額縁部の幅を狭くしてユーザに視認される表示画面の面積を広くすることが出来る。
【図面の簡単な説明】
【００３９】
【図１】本発明の実施の形態１に係る液晶テレビションの要部構成を示す分解斜視図である。
【図２】本発明の実施の形態１に係る液晶テレビションにおいて、導光板及び反射シートの収容状態を模式的に示す、積層方向から見た模式図である。
【図３】本発明の実施の形態１に係る液晶テレビションにおける、導光板と、反射シートと、位置決め部との位置関係を説明する説明図である。
【図４】図２の円部分を拡大した拡大図である。
【図５】本発明の実施の形態２に係る液晶テレビションにおいて、導光板及び反射シートの収容状態を模式的に示す、積層方向から見た部分的模式図である。
【図６】本発明の実施の形態３に係る液晶テレビションにおいて、導光板及び反射シートの収容状態を模式的に示す、積層方向から見た部分的模式図である。
【図７】本発明の他の実施の形態に係る液晶テレビションにおいて、導光板及び反射シートの収容状態を模式的に示す、積層方向から見た部分的模式図である。
【図８】本発明の実施の形態４に係る液晶テレビションにおいて、導光板及び反射シートの収容状態を模式的に示す、積層方向から見た部分的模式図である。
【発明を実施するための形態】
【００４０】
以下に、本発明の実施の形態に係る光源装置及び表示装置を、いわゆる液晶表示パネルを備える液晶テレビジョンに適用した場合を例として、図面に基づいて詳述する。
【００４１】
（実施の形態１）
図１は本発明の実施の形態１に係る液晶テレビションの要部構成を示す分解斜視図である。図中、符号１００は、液晶テレビションを示す。図１に示しているように、液晶テレビション１００は、光源装置１、液晶表示パネル２、光学シート３並びに液晶表示パネル２及び光学シート３を収容するフロント収容部４等を備える。
【００４２】
更に、光源装置１は、光源部１４と、光源部１４から入射される光を液晶表示パネル２側の一面に導く導光板１１と、光源部１４から入射される光を導光板１１の前記一面に向けて反射させる反射シート１２と、光源部１４、導光板１１及び反射シート１２を収容するバック収容部１３とを有している。
【００４３】
フロント収容部４は、画像が表示される液晶表示パネル２より表側に配置されている。フロント収容部４は、ユーザによって視認される液晶表示パネル２の一面２１の形状に倣う矩形の底を有する筒状をなしており、該底には矩形の表示窓４１が開口している。ユーザは表示窓４１を介して液晶表示パネル２の一面２１に表示される画像を視認することができる。
【００４４】
フロント収容部４の前記底の縁から表示窓４１の縁までは所定の幅Ｗを有しており、換言すれば、フロント収容部４の前記底であって、表示窓４１を除く剰余部分は、中空矩形の額縁部４２を形成している。
【００４５】
液晶表示パネル２は一面２１の周縁部が額縁部４２によって覆われており、液晶表示パネル２の他面側には光学シート３が設けられ、光学シート３の一面が液晶表示パネル２の他面と対向するように配置されている。
【００４６】
液晶表示パネル２は、例えばアクティブマトリクス方式であり、所定の間隙を設けて対向配置された一面２１側の透明基板及び他面側の透明基板を備えており、これら透明基板の間の間隙には液晶が封入されている。前記他面側の透明基板と、光学シート３との間には偏光板（図示せず）が設けられている。
【００４７】
光学シート３の他面側には光源装置１の導光板１１が設けられており、導光板１１の前記一面が光学シート３の前記他面と対向するように配置されている。
【００４８】
光学シート３は、光源部１４から発せられた光に対して拡散、集光等を施した後、液晶パネル２に向けて出射させる、公知のものである。例えば、光学シート３は積層された複数の光学シートからなり、液晶表示パネル２（偏光板）側に配置された第１拡散シート３１と、導光板１１側に配置された第２拡散シート３３と、第１拡散シート及び第２拡散シートの間に介在するプリズムシート３２とを含む。
【００４９】
第２拡散シート３３は、光源部１４から導光板１１を介して入射される光を拡散させてプリズムシート３２に入射させる光学シートである。また、プリズムシート３２は、第２拡散シート３３を介して入射される光を集光して液晶表示パネル２に向けて出射させる光学シートである。プリズムシート３２を通過した光は、プリズムシート３２に対して垂直に第１拡散シート３１へ入射される。第１拡散シート３１は、プリズムシート３２を介して入射される光を更に拡散させてより均一な輝度分布にして液晶表示パネル２に向けて出射させる光学シートである。
【００５０】
光源装置１は、いわゆるエッジライト方式であり、光源部１４と、光学シート３の前記他面側に配置された導光板１１と、導光板１１の他面側に設けた反射シート１２とを有している。反射シート１２はその一面が導光板１１の前記他面に対向するように配置されており、導光板１１及び反射シート１２は積層された状態にてバック収容部１３に収容される。
【００５１】
導光板１１は、例えば透明度の高い矩形のアクリル樹脂からなり、所定の厚みを有しており、光源部１４が発する光を光学シート３（液晶パネル２）に導く。例えば、導光板１１は、光学シート３の前記他面と対向する一面に、光源部１４から入射された光が液晶パネル２方向に進行するようにパターンを形成された出射面を有するように構成してもよい。これによって、導光板１１は、光源部１４から入射される光を平面光に変えて前記出射面を通じて光学シート３に均一に伝達することができる。なお、導光板１１の他面側には反射シート１２が設けられている。
【００５２】
また、導光板１１は、長辺側の両縁部に、後述するバック収容部１３に複数設けられた位置決め部１３２，１３２，・・・１３２に対応する切り欠き部１１１，１１１，・・・１１１が形成されている。例えば、切り欠き部１１１，１１１，・・・１１１は、導光板１１の夫々の長辺側縁部の両端及び中央に形成されており、導光板１１の厚み方向において、Ｕ字状をなしている。
【００５３】
導光板１１の４辺の各側面には、切り欠き部１１１に係る側面を除き、鏡面処理が施されており、光源部１４から入射される光の一部は該側面から外側へ自由に通り抜ける。一方、切り欠き部１１１に係る側面には、前記鏡面加工が施されておらず、光源部１４から入射される光の一部は切り欠き部１１１に係る側面にて乱反射を起こす。
【００５４】
一方、反射シート１２は、導光板１１と略等しい寸法の矩形であり、光源部１４から導光板１１に入射される光を導光板１１の他面側から乱反射させて導光板１１の前記出射面を介して出射させる。
【００５５】
また、反射シート１２においても、導光板１１と同様に、夫々の長辺側の縁部に、バック収容部１３の位置決め部１３２，１３２，・・・１３２に対応する切り欠き部１２１，１２１，・・・１２１が形成されている。例えば、切り欠き部１２１，１２１，・・・１２１は、反射シート１２の厚み方向において、Ｕ字状をなしている。
【００５６】
なお、導光板１１及び反射シート１２はバック収容部１３に収容される際、これらの積層方向において、切り欠き部１１１，１１１，・・・１１１及び切り欠き部１２１，１２１，・・・１２１の位置が整合するように構成されている。
【００５７】
導光板１１の短辺の一の側面の付近には、光源部１４が設けられている。光源部１４は、導光板１１の前記一の側面に対して対向配置された基板１４１と、基板１４１に実装されており、導光板１１の前記一の側面に沿って並設された光源１４２，１４２，・・・１４２とを有している。光源１４２，１４２，・・・１４２は、例えば、発光ダイオード（ＬＥＤ：Ｌｉｇｈｔ Ｅｍｉｔｔｉｎｇ Ｄｉｏｄｅ）、冷陰極蛍光ランプ（ＣＣＦＬ：Ｃｏｌｄ Ｃａｔｈｏｄｅ Ｆｌｕｏｒｅｓｃｅｎｃｅ Ｌａｍｐ）、熱陰極管（ＨＣＦＬ：Ｈｏｔ  Ｃａｔｈｏｄｅ  Ｆｌｕｏｒｅｓｃｅｎｔ  Ｌａｍｐ）、外部電極蛍光ランプ（ＥＥＦＬ：Ｅｘｔｅｒｎａｌ Ｅｌｅｃｔｒｏｄｅ Ｆｌｕｏｒｅｓｃｅｎｔ Ｌａｍｐ）等であっても良い。
【００５８】
なお、光源部１４の位置は、導光板１１の前記一の側面の付近に限るものでなく、短辺の他の側面の付近であってもよく、長辺の側面の付近であってもよい。また、光源部１４を、一箇所のみでなく、複数箇所に設ける構成であっても良い。
すなわち、光源部１４は、導光板１１の両長辺の側面の付近に設ける構成であっても良く、導光板１１の両短辺の側面の付近に設ける構成であっても良い。更に、これに限るものでなく、導光板１１の４辺の側面の付近に夫々光源部１４を設けるように構成しても良い。
【００５９】
バック収容部１３は、反射シート１２の形状に倣う矩形の底１３１を有する筒状をなしており、導光板１１及び反射シート１２を収容する際に、これらのバック収容部１３内位置を決めるための位置決め部１３２，１３２，・・・１３２を複数箇所に形成している。各位置決め部１３２は、中心軸が前記積層方向と平行する円柱形状をなしており、バック収容部１３の内側の側面に設けられている。バック収容部１３の位置決め部１３２，１３２，・・・１３２に対応できるように、導光板１１の切り欠き部１１１，１１１，・・・１１１、及び反射シート１２の切り欠き部１２１，１２１，・・・１２１が形成されている。
【００６０】
また、バック収容部１３の底１３１は、反射シート１２より低い反射率を有するように構成されている。底１３１には、例えば、全体的に、又は、少なくとも後述する反射シート凹所１２２に対応する部分に、黒色の膜が塗装されている。
【００６１】
その他、バック収容部１３には、テレビ放送を受信する受信部（図示せず）が収容されており、該受信部によって受信されたテレビ放送に係る映像が、液晶表示パネル２の一面２１に表示される。
【００６２】
導光板１１及び反射シート１２は、反射シート１２の前記一面が導光板１１の前記他面に対向するようにして積層され、反射シート１２の他面と、バック収容部１３の底１３１とが対向する状態にて、バック収容部１３に収容されている。この際、上述したように、導光板１１及び反射シート１２は、位置決め部１３２，１３２，・・・１３２によって、バック収容部１３に収容される際の位置が決められる。
【００６３】
図２は本発明の実施の形態１に係る液晶テレビション１００において、導光板１１及び反射シート１２の収容状態を模式的に示す、積層方向から見た模式図であり、図３は導光板１１と、反射シート１２と、位置決め部１３２との位置関係を説明する説明図であり、図４は図２の円部分を拡大した拡大図である。
【００６４】
導光板１１において切り欠き部１１１，１１１，・・・１１１が形成されることによって形成された導光板凹所１１２，１１２，・・・１１２内であって、反射シート１２において切り欠き部１２１，１２１，・・・１２１が形成されることによって形成された反射シート凹所１２２，１２２，・・・１２２内に、夫々、位置決め部１３２，１３２，・・・１３２が位置しており、これによって、導光板１１及び反射シート１２の位置ズレが防止される。
【００６５】
上述したように、導光板１１及び反射シート１２の積層方向（以下、単に積層方向という）における、切り欠き部１１１の形状はＵ字状であり、該積層方向における切り欠き部１２１の形状は切り欠き部１１１と相似形であるＵ字状をなしている。換言すれば、前記積層方向における、導光板凹所１１２の形状は矩形であり、該積層方向における反射シート凹所１２２の形状は導光板凹所１１２に倣う矩形である。
【００６６】
また、反射シート凹所１２２が導光板凹所１１２より広く、前記積層方向において、反射シート１２の切り欠き部１２１及び導光板１１の切り欠き部１１１の位置が整合するように構成されている。
【００６７】
すなわち、図４に示すように、前記積層方向においては、反射シート１２の切り欠き部１２１の内側に、導光板１１の切り欠き部１１１が含まれるように構成されている。前記積層方向において、反射シート１２の切り欠き部１２１と、導光板１１の切り欠き部１１１とは同一面積でない。換言すれば、前記積層方向において、反射シート凹所１２２の内側に、導光板凹所１１２が位置しており、導光板凹所１１２及び反射シート凹所１２２を介してバック収容部１３の底１３１が露出されている。
【００６８】
本発明の実施の形態１に係る液晶テレビション１００は以上のような構成を有することから、上述したように、切り欠き部１１１の付近にて光のムラが発生する問題、又は、このような光のムラを隠すために、額縁部４２における幅Ｗを広くする必要があり、その結果、表示窓４１が狭くなる問題を解決できる。以下、詳しく説明する。
【００６９】
光源部１４から導光板１１に入射される光は、反射シート１２によって導光板１１の前記出射面の方に反射されるが、その一部は導光板１１の側面から外側に通り抜ける。斯かる一部の光の中でも、鏡面処理が施されていない切り欠き部１１１に係る側面を通過する光は、該側面で乱反射を引き起こす。すなわち、導光板１１の切り欠き部１１１に係る側面では光の乱反射が起こり、切り欠き部１１１に係る側面に沿う部分では、導光板１１の他の部分に比べて余分に光ることとなり、輝度のムラが発生する。
【００７０】
更に、切り欠き部１１１に係る側面から外側に通り抜けた光の一部は、位置決め部１３２によって反射されて再び切り欠き部１１１に係る側面から入射され得る。このような場合、位置決め部１３２から、切り欠き部１１１に係る側面までの距離が部分的に異なる場合は、再入射される光量が切り欠き部１１１に係る側面において部分的に異なることとなり、導光板１１の切り欠き部１１１に係る側面に沿う部分での輝度のムラを加重させる。
【００７１】
また、このような、切り欠き部１１１に係る側面に沿う部分での輝度のムラは、反射シート１２によって液晶表示パネル２に反射された場合、液晶表示パネル２の一面２１においても輝度のムラを生じさせるので、ユーザに違和感を与える。
【００７２】
これに対して、本発明に係る液晶テレビション１００においては、上述したように、前記積層方向にて、反射シート１２の切り欠き部１２１の内側に、導光板１１の切り欠き部１１１が含まれるように構成されているので、導光板１１の前記他面側であって、切り欠き部１１１の付近には、反射シート１２が存在しない。従って、たとえ、切り欠き部１１１の側面に沿う部分にて生じた乱反射によるムラも、また、位置決め部１３２によって反射されて切り欠き部１１１に係る側面から再入射された光によるムラも発生も、液晶表示パネル２に反射されることはない。また、このようなことは、該積層方向における切り欠き部１２１の形状が切り欠き部１１１と相似形であることから、切り欠き部１１１の側面に沿う部分にて同程度に行なわれる。
【００７３】
更に、切り欠き部１１１の側面に沿う部分にて乱反射された光の一部は、導光板凹所１１２及び反射シート凹所１２２を介して露出されているバック収容部１３の底１３１によって吸収され、乱反射する光の光量が減少する。
【００７４】
これによって、本発明に係る液晶テレビション１００においては、液晶表示パネル２の一面２１にて輝度ムラは生じず、ユーザに違和感を与えることを防ぐことが出来るうえ、額縁部４２における幅Ｗを狭くすることができ、ユーザにより広い画像表示範囲を提供することができる。
【００７５】
（実施の形態２）
実施の形態１では、前記積層方向において、導光板１１の切り欠き部１１１の形状がＵ字状であり、反射シート１２の切り欠き部１２１の形状も切り欠き部１１１に倣うＵ字状である場合について説明したが、今発明はこれに限るものでない。
【００７６】
図５は本発明の実施の形態２に係る液晶テレビション１００において、導光板１１及び反射シート１２の収容状態を模式的に示す、積層方向から見た部分的模式図である。実施の形態２において、位置決め部１３２は、実施の形態１と同様に、中心軸が前記積層方向と平行する円柱状を有しており、導光板１１がバック収容部１３に収容された場合は、導光板１１の切り欠き部１１１によって位置決め部１３２が取り囲まれるように構成されている。
【００７７】
すなわち、前記積層方向おいて、切り欠き部１１１は、位置決め部１３２に倣う形状であって、位置決め部１３２より径が大きい略円形状（又は弧形状）をなしており、導光板１１がバック収容部１３に収容された場合、位置決め部１３２が導光板１１の導光板凹所１１２内に位置する。この際、切り欠き部１１１（又は導光板凹所１１２）及び位置決め部１３２の位置は前記積層方向において、整合している。
【００７８】
一方、反射シート１２の切り欠き部１２１は、前記積層方向において、Ｕ字状を有している。また、前記積層方向において、反射シート凹所１２２は導光板凹所１１２より広く、反射シート１２の切り欠き部１２１及び導光板１１の切り欠き部１１１の位置が整合するように構成されている。
【００７９】
また、図５に示すように、前記積層方向においては、反射シート１２の切り欠き部１２１の内側に、導光板１１の切り欠き部１１１が含まれるように構成されている。換言すれば、前記積層方向において、反射シート凹所１２２の内側に、導光板凹所１１２が位置しており、導光板凹所１１２及び反射シート凹所１２２を介してバック収容部１３の底１３１が露出されている。
【００８０】
本発明の実施の形態２に係る液晶テレビション１００は以上のような構成を有することから、上述したように、切り欠き部１１１の付近にて光のムラが発生する問題、又は、このような光のムラを隠すために、額縁部４２における幅Ｗが広くなり、その結果、表示窓４１が狭くなる問題を解決できる。以下、詳しく説明する。
【００８１】
光源部１４から導光板１１に入射される光の一部は導光板１１の側面から外側に通り抜けるが、その一部の光の中でも、鏡面処理が施されていない切り欠き部１１１に係る側面を通過する光は、該側面で乱反射を引き起こし、切り欠き部１１１に係る側面に沿う部分では、導光板１１の他の部分に比べて余分に光ることとなり、輝度のムラが発生する。
【００８２】
更に、切り欠き部１１１に係る側面から外側に通り抜けた光の一部は、位置決め部１３２によって反射されて再び切り欠き部１１１に係る側面から入射され得る。このような場合、位置決め部１３２から、切り欠き部１１１に係る側面までの距離が部分的に異なる場合は、再入射される光量も切り欠き部１１１に係る側面において部分的に異なることとなり、導光板１１の切り欠き部１１１に係る側面に沿う部分での輝度のムラを加重させる。
【００８３】
また、このような、切り欠き部１１１に係る側面に沿う部分での余分な光は、反射シート１２によって、液晶表示パネル２に反射された場合、液晶表示パネル２の一面２１において輝度のムラを生じさせるので、ユーザに違和感を与える。
【００８４】
これに対して、本発明に係る液晶テレビション１００においては、上述したように、前記積層方向にて、反射シート１２の切り欠き部１２１の内側に、導光板１１の切り欠き部１１１が含まれるように構成されているので、導光板１１の前記他面側であって、切り欠き部１１１の付近には、反射シート１２が存在しない。従って、たとえ、切り欠き部１１１の側面に沿う部分にて乱反射が生じた場合でも、斯かる余分な光が液晶表示パネル２に反射されることはない。
【００８５】
また、上述したように、前記積層方向において、切り欠き部１１１は位置決め部１３２に倣う形状であって、これらの位置は整合しており、位置決め部１３２が導光板凹所１１２内に位置するので、すなわち、位置決め部１３２から切り欠き部１１１に係る側面までの距離が切り欠き部１１１に係る側面の何処においても同一であるので、位置決め部１３２から反射されて入射される光量は、切り欠き部１１１に係る側面において均一になる。このように、反射光の光量が均一である状態のうえで、切り欠き部１１１の側面に沿う部分での余分な光の液晶表示パネル２への反射が制限されるので、液晶表示パネル２の一面２１における輝度のムラをより確実に防止することができる。
【００８６】
更に、切り欠き部１１１の側面に沿う部分にて乱反射された光の一部は、導光板凹所１１２及び反射シート凹所１２２を介して露出されているバック収容部１３の底１３１によって吸収され、乱反射する光の光量が減少する。
【００８７】
以上のことから、本発明に係る液晶テレビション１００においては、液晶表示パネル２の一面２１にて輝度ムラは生じず、ユーザに違和感を与えることを防ぐことが出来るうえ、額縁部４２における幅Ｗを狭くすることができ、より広い画像表示範囲をユーザに提供することができる。
【００８８】
実施の形態１と同様の部分については、同一の符号を付して詳細な説明を省略する。
【００８９】
（実施の形態３）
実施の形態２では、前記積層方向において、導光板１１の切り欠き部１１１の形状が位置決め部１３２に倣う略円形状（又は弧形状）であり、反射シート１２の切り欠き部１２１の形状はＵ字状である場合について説明したが、今発明はこれに限るものでない。
【００９０】
図６は本発明の実施の形態３に係る液晶テレビション１００において、導光板１１及び反射シート１２の収容状態を模式的に示す、積層方向から見た部分的模式図である。
【００９１】
実施の形態３において、位置決め部１３２は中心軸が前記積層方向と平行する円柱状を有しており、切り欠き部１１１は、前記積層方向において、位置決め部１３２に倣う形状であって、位置決め部１３２より径が大きい略円形状（又は弧形状）をなしている。導光板１１がバック収容部１３に収容された場合、位置決め部１３２が導光板１１の導光板凹所１１２内に位置され、切り欠き部１１１によって位置決め部１３２が取り囲まれるように構成されている。
【００９２】
また、反射シート１２の切り欠き部１２１は、前記積層方向において、導光板１１の切り欠き部１１１に倣う形状であって、切り欠き部１１１より径が大きい略円形状（又は弧形状）を有している。すなわち、位置決め部１３２、切り欠き部１１１及び切り欠き部１２１は、前記積層方向において、相似形を有している。
【００９３】
また、反射シート凹所１２２は導光板凹所１１２より広く、前記積層方向において、反射シート１２の切り欠き部１２１、導光板１１の切り欠き部１１１及び位置決め部１３２の位置が整合するように構成されている。
【００９４】
更に、図６に示すように、前記積層方向においては、反射シート１２の切り欠き部１２１の内側に、導光板１１の切り欠き部１１１が含まれるように構成されている。換言すれば、前記積層方向において、反射シート凹所１２２の内側に、導光板凹所１１２が位置しており、導光板凹所１１２及び反射シート凹所１２２を介してバック収容部１３の底１３１が露出されている。
【００９５】
本発明の実施の形態３に係る液晶テレビション１００は以上のような構成を有することから、上述したように、切り欠き部１１１の付近にて光のムラが発生する問題、又は、このような光のムラを隠すために、額縁部４２における幅Ｗが広くなり、その結果、表示窓４１が狭くなる問題を解決できる。以下、詳しく説明する。
【００９６】
光源部１４から導光板１１に入射される光の中でも、鏡面処理が施されていない切り欠き部１１１に係る側面を通過する光は、該側面で乱反射を引き起こし、切り欠き部１１１に係る側面に沿う部分では、導光板１１の他の部分に比べて余分に光ることとなり、輝度のムラが発生する。
【００９７】
更に、切り欠き部１１１に係る側面から外側に通り抜けた光の一部は、位置決め部１３２によって反射されて再び切り欠き部１１１に係る側面から入射され得る。このような場合、位置決め部１３２から、切り欠き部１１１に係る側面までの距離が部分的に異なる場合は、再入射される光量も切り欠き部１１１に係る側面において部分的に異なることとなり、導光板１１の切り欠き部１１１に係る側面に沿う部分での輝度のムラを加重させる。
【００９８】
また、このような、切り欠き部１１１に係る側面に沿う部分での余分な光は、反射シート１２によって、液晶表示パネル２に反射され、液晶表示パネル２の一面２１において輝度のムラを生じさせる。
【００９９】
これに対して、本発明に係る液晶テレビション１００においては、上述したように、前記積層方向にて、反射シート１２の切り欠き部１２１の内側に、導光板１１の切り欠き部１１１が含まれるように構成されているので、導光板１１の前記他面側であって、切り欠き部１１１の付近には、反射シート１２が存在しない。従って、たとえ、切り欠き部１１１の側面に沿う部分にて乱反射が生じた場合でも、斯かる余分な光が液晶表示パネル２に反射されることはない。
【０１００】
また、上述したように、前記積層方向において、切り欠き部１１１は位置決め部１３２に倣う形状であって、これらの位置は整合しており、位置決め部１３２が導光板凹所１１２内に位置するので、すなわち、位置決め部１３２から切り欠き部１１１に係る側面までの距離が切り欠き部１１１に係る側面の何処においても同一であるので、位置決め部１３２から反射されて入射される光量は、切り欠き部１１１に係る側面において均一になる。このように、入射される反射光の光量が均一である状態のうえで、切り欠き部１１１の側面に沿う部分での余分な光の液晶表示パネル２への反射が制限されるので、液晶表示パネル２の一面２１における輝度のムラをより確実に防止することができる。
【０１０１】
そのうえ、上述したように、前記積層方向において、切り欠き部１２１は切り欠き部１１１に倣う形状であって、これらの位置は整合しており、導光板凹所１１２が反射シート凹所１２２内に位置している。すなわち、切り欠き部１１１に係る側面から、切り欠き部１２１に係る縁までの距離が切り欠き部１２１に係る縁の何処においても同一である。従って、切り欠き部１１１の側面に沿う部分での余分な光の反射制限が、切り欠き部１１１の側面に沿う部分にて同程度に行なわれる。
【０１０２】
更に、切り欠き部１１１の側面に沿う部分にて乱反射された光の一部は、導光板凹所１１２及び反射シート凹所１２２を介して露出されているバック収容部１３の底１３１によって吸収され、乱反射する光の光量が減少する。
【０１０３】
以上のことから、本発明に係る液晶テレビション１００においては、液晶表示パネル２の一面２１にて輝度ムラは生じず、ユーザに違和感を与えることを防ぐことが出来るうえ、額縁部４２における幅Ｗを狭くすることができ、より広い画像表示範囲をユーザに提供することができる。
【０１０４】
実施の形態１から３では、前記積層方向において、切り欠き部１２１の形状が切り欠き部１１１と相似形である場合と、切り欠き部１１１の形状が位置決め部１３２と相似形である場合と、切り欠き部１１１、切り欠き部１２１及び位置決め部１３２の形状が相似する形状である場合とについて説明したが、本発明はこれに限るものでない。
【０１０５】
図７は本発明の他の実施の形態に係る液晶テレビション１００において、導光板１１及び反射シート１２の収容状態を模式的に示す、積層方向から見た部分的模式図である。
【０１０６】
図７に示すように、位置決め部１３２は中心軸が前記積層方向と平行する円柱状を有しており、切り欠き部１１１は、前記積層方向おいて、三角形状を有し、反射シート１２の切り欠き部１２１は、前記積層方向において、Ｕ字状を有するなど夫々異なる形状を有するように構成しても良い。
【０１０７】
反射シート凹所１２２は導光板凹所１１２より広く、前記積層方向において、反射シート１２の切り欠き部１２１及び導光板１１の切り欠き部１１１の位置が整合するように構成されれば良い。
【０１０８】
実施の形態１と同様の部分については、同一の符号を付して詳細な説明を省略する。
【０１０９】
（実施の形態４）
また、本発明に係る液晶テレビション１００は、以上に記載した構成に限るものでない。例えば、前記積層方向における、切り欠き部１２１の形状が、光源部１４の位置によって、換言すれば、導光板１１への光の入射方向によって定まるように構成しても良い。
【０１１０】
図８は本発明の実施の形態４に係る液晶テレビション１００において、導光板１１及び反射シート１２の収容状態を模式的に示す、積層方向から見た部分的模式図である。図中、矢印は導光板１１への光の入射方向を示す。
【０１１１】
実施の形態４において、位置決め部１３２は中心軸が前記積層方向と平行する円柱状を有しており、切り欠き部１１１は、前記積層方向において、Ｕ字状をなしている。導光板１１がバック収容部１３に収容された場合、位置決め部１３２が導光板１１の導光板凹所１１２内に位置され、切り欠き部１１１によって位置決め部１３２が取り囲まれるように構成されている。
【０１１２】
また、反射シート１２の切り欠き部１２１は、前記積層方向において、光の入射方向に近い部分の形状と、光の入射方向から遠い部分の形状が異なる。より詳しくは、切り欠き部１２１は、光の入射方向に近い切り欠き部１２１Ａと、光の入射方向から遠い切り欠き部１２１Ｂとで形状が異なり、光の入射方向に近い部分にて部分的に拡大された形状を有している。換言すれば、切り欠き部１２１による反射シート凹所１２２の面積は、前記光の入射方向に近いところで部分的に拡大されている。
【０１１３】
すなわち、図８に示すように、反射シート凹所１２２の中、切り欠き部１２１Ａに対応する部分の面積と、切り欠き部１２１Ｂに対応する部分の面積とは、光の入射方向に近い切り欠き部１２１Ａに対応する部分の面積が広い。
【０１１４】
本発明の実施の形態４に係る液晶テレビション１００は、このような構成を有することから、上述したように、切り欠き部１１１の付近にて光のムラが発生する問題、又は、このような光のムラを隠すために、額縁部４２における幅Ｗが広くなり、その結果、表示窓４１が狭くなる問題をより確実に解決できる。
【０１１５】
光源部１４から導光板１１に入射される光の中でも、鏡面処理が施されていない切り欠き部１１１に係る側面を通過する光は、該側面で乱反射を引き起こし、切り欠き部１１１に係る側面に沿う部分では、導光板１１の他の部分に比べて余分に光ることとなり、輝度のムラが発生する。
【０１１６】
また、光源部１４から導光板１１に入射される光の中、鏡面処理が施されていない切り欠き部１１１に係る側面を通過する光量は、切り欠き部１１１のうち、光の入射方向に近い切り欠き部１１１Ａの方が、光の入射方向から遠い切り欠き部１１１Ｂより多いので、かかる乱反射による輝度のムラの発生は、切り欠き部１１１Ａでより多く発生する。
【０１１７】
これに対応するため、本発明の実施の形態４に係る液晶テレビション１００においては、反射シート凹所１２２の中、切り欠き部１２１Ｂに対応する部分の面積より、光の入射方向に近い切り欠き部１２１Ａに対応する部分の面積を広く形成している。
【０１１８】
すなわち、切り欠き部１１１の側面に沿う部分での余分な光の液晶表示パネル２への反射制限が、光の入射方向から遠い切り欠き部１１１Ｂより、光の入射方向に近い切り欠き部１２１Ａで多く行なわれるので、上述したように、乱反射による輝度のムラが切り欠き部１２１Ａに多く発生する問題に対応することが出来る。
【０１１９】
本発明の実施の形態４に係る液晶テレビション１００の他の構成及び、機能・作用は、本発明の実施の形態１に係る液晶テレビション１００と同様であり、詳しい説明を省略する。
【０１２０】
また、実施の形態１と同様の部分については、同一の符号を付して詳細な説明を省略する。
【０１２１】
なお、以上の記載においては、位置決め部１３２が収容部１３と一体に形成された場合を例として説明したが、本発明はこれに限るものでない。例えば、位置決め部１３２が、収容部１３とは別部材として、収容部１３に取り付けられた場合であっても良い。
【０１２２】
また、本発明は以上の記載に限るものでない。導光板１１の切り欠き部１１１に係る側面に鏡面処理を施すように構成しても良い。これによって、切り欠き部１１１に係る側面での乱反射を防ぐことができる。この場合、切り欠き部１１１の周辺で発生する輝度のムラの原因は、切り欠き部１１１に係る側面を介して外へ出射され、位置決め部１３２によって反射されて再び導光板１１に入射される光のみとなり、斯かる輝度のムラの原因となる光の量を減らすことができる。従って、切り欠き部１１１の周辺での輝度のムラの発生を抑えることができる。
【０１２３】
前記収容部の底は、一定な反射分光分布特性を有していることを特徴とする。これにより収容部の底で反射した光が、青、赤などの不要な色の光を多く反射することによる色ムラの発生を抑えることができる。
【０１２４】
また、本発明は以上の記載に限るものでない。例えば、収容部１３の底１３１が反射シート１２から前記積層方向に所定距離を離れて配置されるように構成しても良い。具体的例としては、反射シート１２と底１３１との間に、例えば黒色のブロック状スペーサを介在させることが挙げられる。これによって、導光板１１の切り欠き部１１１で発生する輝度のムラに係る光が、導光板１１の導光板凹所１１２及び反射シート１２の反射シート凹所１２２を介して収容部１３の底１３１に入射された場合、前記スペーサの側面で斯かる光を吸収できるうえで、斯かる光を吸収し得る底１３１の面積が増え、輝度のムラに係る光の吸収量が増える。
【０１２５】
また、本発明は以上の記載に限るものでない。例えば、導光板１１の前記一面をレンズ形状に形成しても良い。これによって、光源１４２，１４２，・・・１４２から導光板１１に入射された光の直進性が高まるので、導光板１１の前記一面を介して出射される光の光量が増えることとなり、導光板１１の切り欠き部１１１側へ向かう光の量が減少する。従って、切り欠き部１１１の周辺での輝度のムラの発生を低減させることができる。
【０１２６】
また、本発明は以上の記載に限るものでない。例えば、導光板１１の前記他面をレンズ形状に形成しても良い。これによって、光源１４２，１４２，・・・１４２から導光板１１に入射された光の直進性が高まるので、導光板１１の前記一面を介して出射される光の光量が増えることとなり、導光板１１の切り欠き部１１１側へ向かう光の量が減少する。従って、切り欠き部１１１の周辺での輝度のムラの発生を低減させることができる。          
【０１２７】
また、本発明は以上の記載に限るものでない。例えば、導光板１１の短辺側に設けられた光源１４２，１４２，・・・１４２が、導光板１１の両長辺側に形成された切り欠き部１１１，１１１,・・・１１１よりも導光板１１の中央側に位置するように、換言すれば、導光板１１の両長辺の対向方向、すなわち、導光板１１の短手方向において、導光板１１の中央側に位置するように構成しても良い。これにより、光源１４２，１４２，・・・１４２から導光板１１に入射される光のうち、切り欠き部１１１,１１１,・・・１１１に向かう光の割合を減らすことができ、切り欠き部１１１,１１１,・・・１１１の周辺での輝度のムラの発生を低減させることができる。
【０１２８】
また、本発明は以上の記載に限るものでない。例えば、導光板１１の短辺側に設けられた光源１４２，１４２，・・・１４２が、反射シート１２の両長辺側に形成された切り欠き部１２１，１２１,・・・１２１よりも反射シート１２の中央側に位置するように、換言すれば、反射シート１２の両長辺の対向方向、すなわち、反射シート１２の短手方向において、反射シート１２の中央側に位置するように構成しても良い。
このような構成の場合は、導光板１１の切り欠き部１１１が、前記積層方向にて、反射シート１２の切り欠き部１２１の内側に含まれことから、光源１４２，１４２，・・・１４２から導光板１１に入射される光のうち、導光板１１の切り欠き部１１１,１１１,・・・１１１に向かう光の割合を一層減らすことができ、切り欠き部１１１,１１１,・・・１１１の周辺での輝度のムラの発生を更に低減させることができる。
【符号の説明】
【０１２９】
２  液晶表示パネル（表示パネル）
１１  導光板
１２  反射シート
１３  バック収容部（収容部）
１００  液晶テレビション（光源装置、表示装置）
１１１  切り欠き部（導光板の切り欠き部）
１１２  導光板凹所
１２１  切り欠き部（反射シートの切り欠き部）
１２２  反射シート凹所（凹所）
１３１  底
１３２  位置決め部
【図１】
0005887461.tif 000002
【図２】
0005887461.tif 000003
【図３】
0005887461.tif 000004
【図４】
0005887461.tif 000005
【図５】
0005887461.tif 000006
【図６】
0005887461.tif 000007
【図７】
0005887461.tif 000008
【図８】
0005887461.tif 000009